(57)【要約】      （修正有）【課題】一度結んだ、着用ネクタイの結び目が緩まないようにするアクセサリーを提供する。【解決手段】Ｙシャツの第一ボタンに弾力性のある素材のキャップをはめ込み、これにＳ極又はＮ極のマグネットを取り付け、ボタン型のＳ極又はＮ極のマグネットをセットにして、ネクタイ生地の結び目の外側と内側を磁力により接合して、結んだネクタイのゆるみ止めに使用することを特徴とする。【選択図】図1
0003152092.tif 000002
【実用新案登録請求の範囲】
【請求項１】
楕円状の基板１に、ボタンより大きめの径の孔を中心部から下方部に設け、中心部より上方へは、下方部の半径程度の幅で略楕円状に孔を設け、取り付け用の孔２を形成し、楕円状の基板１の端部であって、下方部の孔の外周部に、ボタンの厚み程度の壁を形成した基板１と、基板１の外径程度の直径であって、高さが５ｍｍ程度の円柱３を形成し、その平面部に円形で平板状のマグネット５を取り付けた受け部と、受け部の底面部と基板１の下方部の孔の上部に接合して受け具を構成し、円形で平板状のマグネット５に、その径と同じ径の平板状のプレート６を接合した留め具とで構成されたことを特徴とするネクタイ緩み止めアクセサリー。
【請求項２】
留め具のプレート６の表面に、デザインを施すことを特徴とする請求項１に記載のネクタイ緩み止めアクセサリー。
【請求項３】
ネクタイ非着用時に、留め具を取付けた受け具をシャツの第一ボタンに装着して、ワンポイントアクセサリーとして利用する事を特徴とする請求項１または２に記載のネクタイ緩み止めアクセサリー。
【考案の詳細な説明】
【技術分野】
【０００１】
本考案は、いかにして一度結んだ、着用ネクタイの結び目が緩まないようにするかに関する。
【背景技術】
【０００２】
Ｙシャツやカラーシャツを着用する時につけるネクタイ、一般的には簡単で使用頻度が高い結び方がプレーンノットです。このネクタイの結び方には１０種類以上の方法があり、Ｙシャツの素材とデザイン、襟のデザイン、着用するネクタイの素材、デザイン等によって人様々な方法で結んでファッション性を気にかけながら毎日、気を使って着用しているが、着用中本人が気づかぬうちに結び目が緩んで、時々直した経験のある人が殆どだと確信する。対面する相手に対しての身だしなみは、服装含めて他のすべてが完璧でもネクタイの結び目が緩んでいては全体に与える印象があまりよくない。たかがネクタイと思わず全身に常に気を使う事が大切です。本考案はネクタイの生地の素材も傷める心配も無く、三つボタンスーツの出現等でネクタイピンでのおしゃれが減少している中、ネクタイの結び目の緩み止めとしての実用を兼ねたネクタイの結び目でのワンポイントアクセサリーを流行させたいものです。
特開平８−９２８０６においては、コアを利用したネクタイの結び目をする技術が記載されているが、本考案とはその構造、技術的解決手段において相違している。
【先行技術文献】
【特許文献】
【０００３】
【特許文献１】特開平８−９２８０６（図２、図４、図５）
【考案の概要】
【考案が解決しようとする課題】
【０００４】
人間誰しも活発に行動していれば、本人が気づかぬうちにネクタイの結び目が緩んでくることがある、対面する相手に対しての身だしなみは、ネクタイ含めて常に気を使う事が大切です。ネクタイの結び方には何通りもあり緩みにくい方法もいくつかあるが、結んだ後、結び目が緩まないようにする方法を確立する事を課題とする。
【課題を解決するための手段】
【０００５】
きちんと締めたネクタイが何故緩んでいくのか考えた時、第一にはネクタイの締め方がゆるい、第二には第一ボタンをきちんとはめないままネクタイを締めるため、人の自然な動きによって首の部分に力が加わり、ネクタイを結んだ部分が固定できなくなり緩んでくることが考えられるため、第一ボタンの位置のネクタイの結び目の生地と、Ｙシャツの第一ボタンを固定してネクタイの結び目がずれないようにすることによりネクタイの緩み止めに効果を与える。
【０００６】
本考案１は、上記課題を解決するためにＹシャツの第一ボタンに弾力性のある素材のキャップをはめ込み、これにＳ極又はＮ極のマグネットを取り付け、ボタン型のＳ極又はＮ極のマグネットをセットにして、ネクタイ生地の結び目の外側と内側を磁力により接合して、結んだネクタイのゆるみ止めに使用することを特徴とする。
【０００７】
通常、Ｙシャツのボタンのサイズは外形１０ｍｍ、厚み２ｍｍで、このボタンに簡単に手でつまんではめ込み、固定出来る弾力性のある素材でキャップを設計し、これに外形５ｍｍ、厚さ１ｍｍ程度のＳ極又はＮ極の磁力１０００ガウス前後のフェライトマグネットを組み込み成形する。これがネクタイ生地の結び目の内側に接する部品となる。
【０００８】
次に、ネクタイ生地の結び目の外側に接するボタン型のキャップとして外形５ｍｍ、厚さ１ｍｍ程度の部品に、Ｓ極又はＮ極の磁力１０００ガウス前後のフェライトマグネットを取り付ける。前述のキャップとボタン型キャップにて、ネクタイの結び目の生地を挟むように磁力により接合することで、ネクタイの結び目を固定しズレ等を防止する。このボタン表面にはファッション性を持たせたデザイン等を施しても良い。
【考案の効果】
【０００９】
本考案のネクタイ緩み止めアクセサリーを利用することで、ネクタイ装着時のネクタイの緩みやズレを防止でき、ワンポイントアクセサリーとしても利用できる。
クールビズ等のネクタイ非装着時においても、ネクタイ緩み止めアクセサリーを利用することで、ネクタイの代わりとしてのワンポイントアクセサリーとしても利用できる。
【図面の簡単な説明】
【００１０】
【図１】第一ボタンアクセサリー組み込み時の側面図
【図２】楕円の基板を形成する４面図
【図３】基板の下方部の孔の上部に接合する受け部の３面図
【図４】基板と受け具を接合した４面図
【図５】留め具の２面図
【図６】ネクタイとシャツ第一ボタンのキャップ装着例
【図７】ノーネクタイ時の第一ボタンのキャップ装着例
【考案を実施するための最良の形態】
【００１１】
以下、本考案の実施の形態を図１〜図７に基づいて説明する。
【実施例】
【００１２】
本考案の詳細について、図面を引用して説明する。
【００１３】
図１においては、Ｙシャツの第１ボタンに受け具を嵌めこみ、受け具の上部にフェライトマグネットを取付け、ネクタイの外側に留め具によりネクタイを固定した状態の側面図を示す。
【００１４】
楕円状の基板１に、ボタンより大きめの径の孔を中心部から下方部に設け、中心部より上方へは、下方部の半径程度の幅で略楕円状に孔を設け、取り付け用の孔２を形成する。楕円状の基板１の端部であって、下方部の孔の外周部に、ボタンの厚み程度の壁を形成する。図２は基板１の４面図である。
【００１５】
基板１の外径程度の直径であって、高さが５ｍｍ程度の円柱３を形成し、その平面部に円形で平板状のマグネット５を取り付け受け部とし、底面部を基板１の下方部の孔の上部に接合することで、受け具を構成する。図３は受け部の３面図である。図４は基板１と受け具を接合した４面図である。受け具の材質は、樹脂又は金属が望ましいが、これに限定するものではない。
【００１６】
円形で平板状のマグネット５に、その径と同じ径の平板状のプレート６を接合して、留め具を構成する。図５は留め具の２面図である。プレートの材質は、樹脂又は金属が望ましいが、これに限定するものではない。
【００１７】
図６においては、Ｙシャツにネクタイを結んで、Ｙシャツの第一ボタンを利用して受け具を装着し、ネクタイの結び目の部分がネクタイを介して留め具で磁力による吸着固定された状態を示す。受け具の基板の孔２へボタンを通し、受け具を下げることで、ボタンに受け具を固定する。受け具のマグネット部をネクタイの内側に位置し、ネクタイの外側から留め具を磁力により接合して、ネクタイを固定する。
【００１８】
図７においては、クールビズ等のネクタイ非装着時に第一ボタンを利用して、受け具及び留め具を装着すし、ワンポイントアクセサリーとして利用した場合の一例の斜視図を示す。
【産業上の利用可能性】
【００１９】
本考案のネクタイ緩み止めアクセサリーは、工業生産が可能であり、供給者において生産及び販売が可能である。
【符号の説明】
【００２０】
１    基板
２    孔
３    円柱
４    フェライトマグネットＳ
５    フェライトマグネットＮ
６    プレート
７    第一ボタン
８    ネクタイ
９    Ｙシャツ
【図１】
0003152092.tif 000003
【図２】
0003152092.tif 000004
【図３】
0003152092.tif 000005
【図４】
0003152092.tif 000006
【図５】
0003152092.tif 000007
【図６】
0003152092.tif 000008
【図７】
0003152092.tif 000009